(57)【要約】【課題】剥離パッド部の押圧面において、押圧面の搬送方向における下流端部が直線状である場合と比較して、記録材の剥離性能の低下を抑制する。【解決手段】定着装置は、加圧ベルトと、加圧ベルトの外周面に対向配置されて回転し、加圧ベルトとの間に、用紙に画像を定着するプレニップ領域を形成する定着ロールと、加圧ベルトの内周に設けられ、プレニップ領域より加圧ベルトの移動方向の下流側にて定着ロールを押圧する押圧面８１が形成され、用紙を定着ロールから剥離させる剥離パッド部８０と、を備え、剥離パッド部８０の押圧面８１は、定着ロールの回転軸方向における両端部から中央部に向かうに従い定着ロール側に突出するように湾曲し、且つ、移動方向における上流端部８１２および下流端部８１３が、回転軸方向における両端部から中央部に向かうに従い移動方向の上流側に突出するように湾曲していることを特徴とする。【選択図】図４
2017138537.tif 000002
【特許請求の範囲】
【請求項１】
周回移動を行うベルト部材と、
前記ベルト部材の外周面に対向配置されて回転し、当該ベルト部材との間に、記録材に画像を定着する定着ニップ部を形成する定着部材と、
前記ベルト部材の内周に設けられ、前記定着ニップ部より前記ベルト部材の移動方向の下流側にて前記定着部材を押圧する押圧面が形成され、記録材を当該定着部材から剥離させる剥離パッド部と、
を備え、
前記剥離パッド部の前記押圧面は、前記定着部材の回転軸方向における両端部から中央部に向かうに従い当該定着部材側に突出するように湾曲し、且つ、前記移動方向における上流端部および下流端部が、当該回転軸方向における両端部から中央部に向かうに従い当該移動方向の上流側に突出するように湾曲していることを特徴とする定着装置。
【請求項２】
前記押圧面は、前記回転軸方向と垂直な面での断面形状が、当該回転軸方向の両端部と中央部とで等しいことを特徴とする請求項１に記載の定着装置。
【請求項３】
前記押圧面は、前記上流端部から前記下流端部までの距離が、前記回転軸方向の一端から他端にかけて等しいことを特徴とする請求項１または２に記載の定着装置。
【請求項４】
記録材への画像形成を行う画像形成手段と、
周回移動を行うベルト部材と、
前記ベルト部材の外周面に対向配置されて回転し、当該ベルト部材との間に、前記画像形成手段にて形成された画像を記録材に定着する定着ニップ部を形成する定着部材と、
前記ベルト部材の内周に設けられ、前記定着ニップ部より前記ベルト部材の移動方向の下流側にて前記定着部材を押圧する押圧面が形成され、記録材を当該定着部材から剥離させる剥離パッド部と、
を備え、
前記剥離パッド部の前記押圧面は、前記定着部材の回転軸方向における両端部から中央部に向かうに従い当該定着部材側に突出するように湾曲し、且つ、前記移動方向における上流端部および下流端部が、当該回転軸方向における両端部から中央部に向かうに従い当該移動方向の上流側に突出するように湾曲していることを特徴とする画像形成装置。
【発明の詳細な説明】
【技術分野】
【０００１】
本発明は、定着装置および画像形成装置に関する。
【背景技術】
【０００２】
従来技術として、特許文献１には、回転可能な定着ロールと、定着ロールに接触し定着ロールとともに記録材にトナー像を定着する無端状の定着ベルトと、定着ロールと定着ベルトとの対向部にて定着ベルトを介して定着ロールを押圧する定着パッドとを備える定着装置が記載されている。そして、この定着装置における定着パッドは、定着ニップ域上流側に配置される低圧パッド部と、定着ニップ域下流側に配置される高圧パッド部とを備え、高圧パッド部により用紙の剥離作用が生じることが記載されている。
【先行技術文献】
【特許文献】
【０００３】
【特許文献１】特許第４７７０４５３号公報
【発明の概要】
【発明が解決しようとする課題】
【０００４】
ところで、定着後の記録材を定着部材から剥離させるための剥離パッド部において、ベルト部材を介して定着部材を押圧する押圧面の形状を、定着部材の回転軸方向における両端部と中央部とで異ならせる場合がある。より具体的には、剥離パッド部のうち定着部材を押圧する押圧面において、ベルト部材の移動方向における上流端部の形状を、回転軸方向における両端部から中央部に向かうに従い移動方向の上流側に突出するように湾曲した形状とする場合がある。この場合、押圧面における移動方向の下流端部の形状によっては、記録材の剥離性能が低下するおそれがある。
本発明は、剥離パッド部の押圧面において、ベルト部材の移動方向における上流端部を回転軸方向における両端部から中央部に向かうに従い移動方向の上流側に突出するように湾曲した形状とした場合に、押圧面の移動方向における下流端部が直線状である場合と比較して、記録材の剥離性能の低下を抑制することを目的とする。
【課題を解決するための手段】
【０００５】
請求項１に係る発明は、周回移動を行うベルト部材と、前記ベルト部材の外周面に対向配置されて回転し、当該ベルト部材との間に、記録材に画像を定着する定着ニップ部を形成する定着部材と、前記ベルト部材の内周に設けられ、前記定着ニップ部より前記ベルト部材の移動方向の下流側にて前記定着部材を押圧する押圧面が形成され、記録材を当該定着部材から剥離させる剥離パッド部と、を備え、前記剥離パッド部の前記押圧面は、前記定着部材の回転軸方向における両端部から中央部に向かうに従い当該定着部材側に突出するように湾曲し、且つ、前記移動方向における上流端部および下流端部が、当該回転軸方向における両端部から中央部に向かうに従い当該移動方向の上流側に突出するように湾曲していることを特徴とする定着装置である。
請求項２に係る発明は、前記押圧面は、前記回転軸方向と垂直な面での断面形状が、当該回転軸方向の両端部と中央部とで等しいことを特徴とする請求項１に記載の定着装置である。
請求項３に係る発明は、前記押圧面は、前記上流端部から前記下流端部までの距離が、前記回転軸方向の一端から他端にかけて等しいことを特徴とする請求項１または２に記載の定着装置である。
請求項４に係る発明は、記録材への画像形成を行う画像形成手段と、周回移動を行うベルト部材と、前記ベルト部材の外周面に対向配置されて回転し、当該ベルト部材との間に、前記画像形成手段にて形成された画像を記録材に定着する定着ニップ部を形成する定着部材と、前記ベルト部材の内周に設けられ、前記定着ニップ部より前記ベルト部材の移動方向の下流側にて前記定着部材を押圧する押圧面が形成され、記録材を当該定着部材から剥離させる剥離パッド部と、を備え、前記剥離パッド部の前記押圧面は、前記定着部材の回転軸方向における両端部から中央部に向かうに従い当該定着部材側に突出するように湾曲し、且つ、前記移動方向における上流端部および下流端部が、当該回転軸方向における両端部から中央部に向かうに従い当該移動方向の上流側に突出するように湾曲していることを特徴とする画像形成装置である。
【発明の効果】
【０００６】
請求項１に係る発明によれば、剥離パッド部の押圧面において、ベルト部材の移動方向における上流端部を回転軸方向における両端部から中央部に向かうに従い移動方向の上流側に突出するように湾曲した形状とした場合に、押圧面の移動方向における下流端部が直線状である場合と比較して、記録材の剥離性能の低下を抑制することができる。
請求項２に係る発明によれば、押圧面の回転軸方向と垂直な面での断面形状が回転軸方向の両端部と中央部とで異なる場合と比較して、回転軸方向の両端部と中央部とで、記録材の剥離性能の差を小さくすることができる。
請求項３に係る発明によれば、押圧面の上流端部から下流端部までの距離が回転軸方向の一端から他端に掛けて等しくない場合と比較して、回転軸方向による記録材の剥離性能の差を小さくすることができる。
請求項４に係る発明によれば、剥離パッド部の押圧面において、ベルト部材の移動方向における上流端部を回転軸方向における両端部から中央部に向かうに従い移動方向の上流側に突出するように湾曲した形状とした場合に、押圧面の移動方向における下流端部が直線状である場合と比較して、記録材の剥離性能の低下を抑制することができる。
【図面の簡単な説明】
【０００７】
【図１】本実施の形態が適用される画像形成装置の全体構成を示した図である。
【図２】本実施の形態が適用される定着装置を示した図である。
【図３】本実施の形態が適用される剥離パッド部の形状を説明するための図である。
【図４】（ａ）〜（ｂ）は、本実施の形態が適用される剥離パッド部の形状を説明するための図である。
【図５】（ａ）〜（ｂ）は、本実施の形態が適用される剥離パッド部の形状を説明するための図である。
【図６】従来の剥離パッド部の形状を示した図である。
【図７】（ａ）〜（ｂ）は、従来の剥離パッド部の形状を示した図である。
【図８】（ａ）〜（ｂ）は、従来の剥離パッド部の形状を示した図である。
【発明を実施するための形態】
【０００８】
以下、添付図面を参照して、本発明の実施の形態について詳細に説明する。
図１は、本実施の形態が適用される画像形成装置１の全体構成を示した図である。
この画像形成装置１は、例えば電子写真方式にて各色トナー像を形成する画像形成手段の一例としての複数（本実施の形態では４つ）の画像形成ユニット１０（具体的には１０Ｙ、１０Ｍ、１０Ｃ、１０Ｋ）と、各画像形成ユニット１０で形成された各色トナー像を転写（一次転写）して保持させる中間転写ベルト２０と、中間転写ベルト２０に一次転写された重ねトナー像を記録材の一例としての用紙に二次転写する二次転写装置３０と、二次転写装置３０に供給される用紙を保持する用紙保持部４０と、二次転写された画像を用紙上に定着させる定着装置６０とを有している。
【０００９】
各画像形成ユニット１０すなわちイエロー（Ｙ）の画像形成ユニット１０Ｙ、マゼンタ（Ｍ）の画像形成ユニット１０Ｍ、シアン（Ｃ）の画像形成ユニット１０Ｃおよび黒（Ｋ）の画像形成ユニット１０Ｋは、使用されるトナーの色を除き、共通の構成を有している。
それぞれの画像形成ユニット１０は、矢印Ａ方向に回転可能に設けられた感光体ドラム１１を具備している。また、それぞれの画像形成ユニット１０は、この感光体ドラム１１の周囲に矢印Ａ方向に沿って設けられた、帯電器１２、露光器１３、現像器１４、一次転写ロール１５およびドラムクリーナ１６を有している。
【００１０】
中間転写ベルト２０は、複数（本実施の形態では６つ）の支持ロールに回転可能に掛け渡されている。また、中間転写ベルト２０の表面には、二次転写装置３０を通過した後、画像形成ユニット１０の感光体ドラム１１との対向部に進入する前の中間転写ベルト２０の表面を清掃するベルトクリーナ２５が設けられている。
【００１１】
二次転写装置３０は、中間転写ベルト２０のトナー像転写面側に接触して配置される二次転写ロール３１と、中間転写ベルト２０の裏面側に配置されて二次転写ロール３１の対向電極をなすバックアップロール３２とを備えている。
【００１２】
定着装置６０は、定着装置６０に搬送された用紙を加熱する定着ロール６１と、定着ロール６１を加圧する加圧モジュール６２とを備えている。なお、定着装置６０の構成については、後段にて詳細に説明する。
【００１３】
本実施の形態の画像形成装置１では、不図示の制御部による動作制御の下で、次のようなプロセスによる画像形成処理が行われる。すなわち、ＰＣやスキャナ等から受け付けられた画像データが、予め定めた画像処理が施された後、各色の画像データとなって各画像形成ユニット１０に送られる。そして、例えば黄（Ｙ）色トナー像を形成する画像形成ユニット１０Ｙでは、感光体ドラム１１が矢印Ａ方向に回転しながら帯電器１２により予め定めた電位で帯電され、送信された黄（Ｙ）色画像データに基づき露光器１３が感光体ドラム１１を露光する。これにより、感光体ドラム１１上には黄（Ｙ）色画像に関する静電潜像が形成される。感光体ドラム１１上に形成された黄（Ｙ）色静電潜像は現像器１４により現像され、感光体ドラム１１上に黄（Ｙ）色トナー像が形成される。同様に、画像形成ユニット１０Ｍ、１０Ｃ、１０Ｋにおいても、それぞれマゼンタ（Ｍ）、シアン（Ｃ）、黒（Ｋ）の各色トナー像が形成される。
【００１４】
各画像形成ユニット１０の感光体ドラム１１に形成された各色トナー像は、一次転写ロール１５により矢印Ｂ方向に移動する中間転写ベルト２０上に順次静電転写（一次転写）され、各色トナーが重畳された重畳トナー像が形成される。中間転写ベルト２０上の重畳トナー像は、中間転写ベルト２０の移動に伴って二次転写装置３０に搬送される。重畳トナー像が二次転写装置３０に搬送されると、そのタイミングに合わせて用紙保持部４０から用紙Ｐが二次転写装置３０に供給される。そして、重畳トナー像は、二次転写装置にて二次転写ロール３１が形成する転写電界により、搬送されてきた用紙Ｐ上に一括して静電転写（二次転写）される。
【００１５】
その後、重畳トナー像が静電転写された用紙Ｐは、定着装置６０まで搬送される。定着装置６０に搬送された用紙Ｐ上のトナー像は、定着装置６０によって熱および圧力を受け、用紙Ｐ上に定着される。そして、定着画像が形成された用紙Ｐは、画像形成装置１の外部に排出される。
一方、一次転写後に感光体ドラム１１に付着しているトナー（一次転写残トナー）、および二次転写後に中間転写ベルト２０に付着しているトナー（二次転写残トナー）は、それぞれドラムクリーナ１６、およびベルトクリーナ２５によって除去される。
このようにして、画像形成装置１での画像形成処理がプリント枚数分のサイクルだけ繰り返し実行される。
【００１６】
続いて、本実施の形態の定着装置６０の構成について説明する。図２は、本実施の形態が適用される定着装置６０を示した図であり、定着装置６０を定着ロール６１の後述する軸方向と垂直な面で切断した断面図である。
図２に示すように、本実施の形態の定着装置６０は、定着装置６０に搬送された用紙を加熱する定着部材の一例としての定着ロール６１と、定着ロール６１を加圧し定着ロール６１との間にニップ部Ｎを形成する加圧モジュール６２とを備えている。
【００１７】
本実施の形態の定着装置６０では、定着動作が行われる際には、不図示の駆動手段により、定着ロール６１が図中反時計方向に回転され、これに従動して、加圧モジュール６２の後述する加圧ベルト６２１が図中時計方向に回転される。これにより、ニップ部Ｎでは、用紙が図中左側から右側へ搬送され、用紙上に画像が定着される。
また、本実施の形態の定着装置６０では、定着ロール６１および加圧モジュール６２の回転軸に沿った方向の両端部に設けられた弾性体（不図示）により、定着ロール６１と加圧モジュール６２とが押圧（加圧）されている。これにより、定着装置６０では、定着ロール６１と加圧モジュール６２との間にニップ部Ｎが形成される。
【００１８】
なお、以下の説明において、定着ロール６１の回転軸に沿った方向（図２における紙面と垂直な方向）を単に「軸方向（回転軸方向）」と呼び、ニップ部Ｎにおける用紙の搬送方向（図２における左側から右側へ向かう方向）を単に「搬送方向（ベルト部材の移動方向）」と呼び、加圧モジュール６２による加圧方向（加圧モジュール６２から定着ロール６１に向かう方向、図２における下側から上側へ向かう方向）を単に「加圧方向」と呼ぶ場合がある。
【００１９】
定着ロール６１は、円筒状の基体６１１と、基体６１１の外周に形成された耐熱弾性層６１２と、耐熱弾性層６１２の表面に形成された離型層６１３とを備えている。また、定着ロール６１は、基体６１１の内部に配置され、発熱源として機能するハロゲンヒータ６１４を備えている。
【００２０】
基体６１１は、例えば鉄、アルミニウム、ＳＵＳ等の熱伝導率の高い金属により構成される。
耐熱弾性層６１２は、耐熱性の高い弾性体により構成される。耐熱弾性層６１２を構成する材料としては、特に限定されるものではないが、例えばシリコーンゴム、フッ素ゴム等が挙げられる。
離型層６１３は、耐熱性の樹脂により構成される。離型層６１３を構成する材料としては、特に限定されるものではないが、例えば、ＰＦＡ樹脂、ＰＴＦＥ樹脂、フッ素樹脂、シリコーン樹脂、フルオロシリコーンゴム、シリコーンゴム等が挙げられ、これらの中でも、トナーに対する離型性や耐摩耗性の観点から、フッ素樹脂を用いることが適している。
【００２１】
加圧モジュール６２は、定着ロール６１の外周面に接触して配置され、定着ロール６１との間にニップ部Ｎを形成するベルト部材の一例としての加圧ベルト６２１を備えている。また、加圧モジュール６２は、加圧ベルト６２１の内部に設けられ、加圧ベルト６２１を介して定着ロール６１を押圧するパッド部材７０を備えている。さらに、加圧モジュール６２は、パッド部材７０を支持するとともに、加圧ベルト６２１の形状を規定する支持部材６２３を備えている。
【００２２】
加圧ベルト６２１は、原形が例えば円筒形状の、無端状のベルト部材により構成される。加圧ベルト６２１は、内周面側から順に、耐熱性の高いシート状部材からなる基層、基層の上に積層された弾性層、および弾性層の上に積層され、加圧ベルト６２１の外周面に露出する表面層が積層されて構成されている。
【００２３】
基層としては、フレキシブルで機械的強度に優れ、耐熱性を有する材料が用いられる。基層を構成する材料としては、例えば、フッ素樹脂、ポリイミド樹脂、ポリアミド樹脂、ポリアミドイミド樹脂、ＰＥＥＫ（ポリエーテルエーテルケトン）樹脂、ＰＥＳ（ポリエーテルサルホン）樹脂、ＰＰＳ（ポリフェニレンサルファイド）樹脂、ＰＦＡ樹脂、ＰＴＦＥ（ポリテトラフルオロエチレン）樹脂、ＦＥＰ（四フッ化エチレン六フッ化プロピレン共重合体）樹脂等が挙げられる。
弾性層としては、耐熱性、熱伝導性に優れたシリコーンゴム、フッ素ゴム、フルオロシリコーンゴム等が用いられる。
また、表面離型層としては、例えば、ＰＦＡ樹脂、ＰＴＦＥ樹脂、フッ素樹脂、シリコーン樹脂、フルオロシリコーンゴム、シリコーンゴム等が用いられる。
【００２４】
支持部材６２３は、加圧ベルト６２１の内周において軸方向に沿って設けられる。そして、支持部材６２３は、定着ロール６１と加圧ベルト６２１との対向位置においてパッド部材７０を支持し、加圧ベルト６２１を介してパッド部材７０を定着ロール６１に押圧させる。これにより、定着ロール６１と加圧ベルト６２１との間にニップ部Ｎを形成する。
支持部材６２３は、例えば耐熱性樹脂や金属等により構成される。
【００２５】
パッド部材７０は、図２に示すように、加圧ベルト６２１の内周側において、定着ロール６１に対向する状態で配置され、定着ロール６１と加圧ベルト６２１との間にニップ部Ｎを形成するように機能する。パッド部材７０は、図２に示すように、搬送方向長さが広いニップ部Ｎを確保するためのプレニップ領域Ｎ１を形成するプレニップ部７１を備えている。さらに、パッド部材７０は、プレニップ部７１に対して搬送方向の下流側に隣接して設けられ、定着ロール６１に歪みを与えて定着ロール６１から用紙を剥離させる剥離ニップ領域Ｎ２を形成する剥離パッド部８０を備えている。さらに、パッド部材７０は、プレニップ部７１を保持するとともに、プレニップ部７１に対して搬送方向の上流側に隣接する位置において、ニップ部Ｎに進入する加圧ベルト６２１の形状を規制する保持部７２を備えている。
なお、図示は省略するが、パッド部材７０には、プレニップ部７１および剥離パッド部８０における加圧ベルト６２１との対向面に、加圧ベルト６２１の内周面との摩擦抵抗を低減するための低摩擦シートを設けてもよい。
【００２６】
プレニップ部７１は、シリコーンゴムやフッ素ゴム等の弾性材料や板バネ等によって構成される。また、プレニップ部７１のうち加圧ベルト６２１を介して定着ロール６１に対向する面は、定着ロール６１の外周面に倣うように、凹形状に形成されている。
【００２７】
剥離パッド部８０および保持部７２は、例えばＰＰＳ（ポリフェニレンサルファイド）、ポリエステル、ポリアミド等の耐熱性を有する樹脂、または、鉄、アルミニウム、ＳＵＳ等の金属により構成される。なお、この例では、剥離パッド部８０と保持部７２とを一体としているが、これらを別体として設けてもよい。また、剥離パッド部８０と保持部７２とを構成する材料は、同一でもよく、異なっていてもよい。
【００２８】
続いて、本実施の形態のパッド部材７０における剥離パッド部８０の形状について、詳細に説明する。図３、図４（ａ）〜（ｂ）および図５（ａ）〜（ｂ）は、本実施の形態が適用される剥離パッド部８０の形状を説明するための図である。図３は、剥離パッド部８０の斜視図である。また、図４（ａ）は、図３に示した剥離パッド部８０をＩＶＡ方向から見た図であり、図４（ｂ）は、図３に示した剥離パッド部８０をＩＶＢ方向から見た図である。さらに、図５（ａ）は、図３に示した剥離パッド部８０のＶＡ−ＶＡ断面図であり、図５（ｂ）は、図３に示した剥離パッド部８０のＶＢ−ＶＢ断面図である。
【００２９】
図３に示すように、本実施の形態の剥離パッド部８０は、軸方向に沿って延びる長尺形状を有している。また、本実施の形態の剥離パッド部８０は、軸方向の中心に対して一方の端部側（軸方向の上流側）と他方の端部側（軸方向の下流側）とで、対称な形状を有している。
【００３０】
図２および図３に示すように、剥離パッド部８０は、軸方向に沿って延び、パッド部材７０が加圧ベルト６２１の内周に設置された状態で加圧ベルト６２１を介して定着ロール６１を押圧し、剥離ニップ領域Ｎ２を形成する押圧面８１を有している。また、剥離パッド部８０は、押圧面８１における搬送方向の上流側の端部から加圧方向に沿って延びる上流側面８２と、押圧面８１における下流側の端部から加圧方向に沿って延びる下流側面８３とを備えている。
ここで、押圧面８１における上流側面８２との境界を上流端部８１２と称し、押圧面８１における下流側面８３との境界を下流端部８１３と称する。
【００３１】
図３および図４（ａ）に示すように、本実施の形態の剥離パッド部８０では、上流側面８２は、軸方向の両端部から軸方向の中央部に向かうに従い搬送方向の上流側に凸となるように、湾曲した形状を有している。これにより、本実施の形態の剥離パッド部８０を加圧方向から見た場合に、上流端部８１２は、軸方向の両端部から軸方向の中央部に向かうに従い搬送方向の上流側に突出するように湾曲している。
【００３２】
剥離パッド部８０の上流側面８２および上流端部８１２がこのような形状を有することで、加圧ベルト６２１（図２参照）を介して剥離パッド部８０の押圧面８１と定着ロール６１（図２参照）との間に形成される剥離ニップ領域Ｎ２（図２参照）の入口は、軸方向の両端部と比較して軸方向の中央部ほど搬送方向の上流側に位置するようになる。
【００３３】
これにより、定着装置６０（図２参照）にて定着動作を行う場合、プレニップ領域Ｎ１（図２参照）を通過した用紙は、軸方向の中央部が、まず初めに剥離ニップ領域Ｎ２に到達する。そして、用紙における軸方向の中央部が、剥離ニップ領域Ｎ２に進入した後に、用紙における軸方向の両端部が、剥離ニップ領域Ｎ２に進入する。
このような構成を採用することで、剥離ニップ領域Ｎ２を通過する用紙に対して、軸方向の中央部から両端部へ向かう力が付与されることになる。言い換えると、剥離ニップ領域Ｎ２を通過される用紙が、軸方向の中央部から両端部へ向けてしごかれる。この結果、例えば上流側面８２および上流端部８１２が、軸方向の両端部から中央部にかけて平坦な場合と比較して、定着装置６０を通過した後の用紙におけるしわの発生が抑制される。
【００３４】
また、図３および図４（ａ）に示すように、本実施の形態の剥離パッド部８０では、下流側面８３は、軸方向の両端部から軸方向の中央部に向かうに従い搬送方向の上流側へ凹となるように、湾曲した形状を有している。これにより、本実施の形態の剥離パッド部８０を加圧方向から見た場合に、下流端部８１３は、軸方向の両端部から軸方向の中央部に向かうに従い、搬送方向の上流側に突出するように湾曲している。
さらに、図４（ａ）に示すように、下流側面８３は、上流側面８２に対して略平行に設けられている。これにより、剥離パッド部８０を加圧方向の下流側から見た場合に、上流端部８１２と下流端部８１３とは、略平行となっている。
【００３５】
また、図３および図４（ｂ）に示すように、本実施の形態の剥離パッド部８０では、押圧面８１は、軸方向の両端部から軸方向の中央部に向かうに従い加圧方向の下流側（定着ロール６１（図２参照）側）へ突出するように湾曲した形状を有している。これにより、剥離パッド部８０を搬送方向から見た場合には、上流端部８１２および下流端部８１３は、軸方向の両端部から軸方向の中央部に向かうに従い、加圧方向の下流側へ突出するように湾曲している。
【００３６】
ここで、本実施の形態の定着装置６０（図２参照）では、上述したように、軸方向の両端部に設けられる弾性体（不図示）により、定着ロール６１と加圧モジュール６２とが押圧されている。このため、定着ロール６１と加圧モジュール６２とが押圧された状態において定着ロール６１は、軸方向の両端部ほど加圧モジュール６２側に突出するような撓みが生じている。言い換えると、定着装置６０では、ニップ部Ｎにおいて、定着ロール６１の表面に、軸方向の両端部から軸方向の中央部に向かうに従い、加圧方向の下流側へ凹むような撓みが生じている。
【００３７】
これに対し、本実施の形態では、定着ロール６１に撓みが生じた場合であっても、剥離パッド部８０の押圧面８１を、軸方向の両端部から中央部に向かうに従い加圧方向の下流側へ突出するように湾曲した形状とすることで、例えば軸方向の中央部にて加圧モジュール６２と定着ロール６１との接触不良や押圧力の低下が抑制される。
これにより、例えば押圧面８１が軸方向の両端部から中央部にかけて平坦な場合と比較して、剥離ニップ領域Ｎ２の軸方向の両端部と中央部とで押圧力の差が生じることが抑制される。
【００３８】
さらに、図３および図４（ａ）に示すように、押圧面８１を加圧方向の下流側（定着ロール６１側）から見た場合、押圧面８１は、全体として、軸方向の中央部が搬送方向の上流側へ突出した弓型に反った形状を有している。
そして、押圧面８１を加圧方向の下流側から見た場合、上流端部８１２から下流端部８１３までの距離は、押圧面８１の軸方向の一端から他端にかけて等しくなっている。言い換えると、本実施の形態の剥離パッド部８０では、軸方向の両端部と軸方向の中央部で、上流端部８１２から下流端部８１３までの距離が等しくなっている。
【００３９】
そして、本実施の形態の剥離パッド部８０では、図５（ａ）〜（ｂ）に示すように、軸方向と垂直な面で切断した押圧面８１の断面形状が、軸方向の両端部と軸方向の中央部とで、等しくなっている。
【００４０】
これにより、本実施の形態の定着装置６０では、定着ロール６１と加圧モジュール６２との間に形成されるニップ部Ｎのうち、剥離ニップ領域Ｎ２の形状が、軸方向の両端部と中央部とで等しくなる。
そして、剥離ニップ領域Ｎ２の形状が等しいことで、例えば剥離ニップ領域Ｎ２の形状が軸方向の両端部と中央部とで異なる場合と比較して、加圧ベルト６２１を介して剥離パッド部８０と定着ロール６１との間で生じる押圧力の、軸方向の両端部と中央部との差が小さくなる。言い換えると、剥離ニップ領域Ｎ２において定着ロール６１の表面に付与される押圧力の、軸方向の両端部と軸方向の中央部との差が小さくなる。
これにより、本実施の形態の定着装置６０では、軸方向の両端部と中央部との双方で、用紙の剥離性能が維持され、用紙の剥離不良が抑制される。
【００４１】
これに対し、剥離パッド部８０において軸方向と垂直な面で切断した押圧面８１の断面形状が、軸方向の両端部と軸方向の中央部とで異なる場合、例えば軸方向の中央部で用紙の剥離不良が起こりやすい傾向がある。
【実施例】
【００４２】
以下、実施例および比較例を用いて、本発明の作用についてより詳細に説明する。
（実施例）
図３、図４（ａ）〜（ｂ）および図５（ａ）〜（ｂ）に示した形状を有する剥離パッド部８０を備えた定着装置６０を有する画像形成装置１を用い、以下の表１に示す条件で用紙に画像形成を行い、定着装置６０における用紙の剥離性の評価を行った。
剥離性の評価は、温度２８度、湿度８５％の条件下にて行った。また、用紙としては、Ｐ紙を用い、画像形成装置１による画像の形成は、用紙の四辺にそれぞれ４ｍｍの余白が形成されるように行った。なお、表１における画像密度は、画像形成装置１における用紙の搬送方向の下流側の端部（用紙の先端側）における画像密度を表している。
【００４３】
また、定着装置６０における用紙の剥離性の評価は、以下の基準にて行った。
Ａ：用紙の剥離に問題がない。
Ｂ：用紙の先端が完全に剥離されずにダメージが発生するが、用紙詰まりはしない。
Ｃ：用紙が剥離されずに用紙詰まりが発生する。
【００４４】
（比較例）
図６、図７（ａ）〜（ｂ）および図８（ａ）〜（ｂ）は、従来の剥離パッド部８０の形状を示した図である。図６は、従来の剥離パッド部８０の斜視図である。また、図７（ａ）は、図６に示した剥離パッド部８０をＶＩＩＡ方向から見た図であり、図７（ｂ）は、図６に示した剥離パッド部８０をＶＩＩＢ方向から見た図である。さらに、図８（ａ）は、図６に示した剥離パッド部８０のＶＩＩＩＡ−ＶＩＩＩＡ断面図であり、図８（ｂ）は、図６に示した剥離パッド部８０のＶＩＩＩＢ−ＶＩＩＩＢ断面図である。なお、図６、図７（ａ）〜（ｂ）および図８（ａ）〜（ｂ）において、図３、図４（ａ）〜（ｂ）および図５（ａ）〜（ｂ）に示した本実施の形態の剥離パッド部８０と同様の構成については同様の符号を用いており、ここでは、詳細な説明は省略する。
【００４５】
図６、図７（ａ）〜（ｂ）および図８（ａ）〜（ｂ）に示す従来の剥離パッド部８０は、図３、図４（ａ）〜（ｂ）および図５（ａ）〜（ｂ）に示した本実施の形態の剥離パッド部８０と比べて、押圧面８１、下流側面８３および下流端部８１３の形状が異なっている。
具体的には、従来の剥離パッド部８０では、図６および図７（ａ）に示すように、下流側面８３は、軸方向の両端部から軸方向の中央部に掛けて平坦な形状を有している。言い換えると、従来の剥離パッド部８０では、下流側面８３が平面により構成されている。これにより、従来の剥離パッド部８０を加圧方向から見た場合に、下流端部８１３は、軸方向に沿って延びる直線状となっている。
【００４６】
さらに、従来の剥離パッド部８０では、図６および図７（ｂ）に示すように、押圧面８１を加圧方向の下流側（定着ロール６１側）から見た場合、上流端部８１２から下流端部８１３までの距離は、軸方向の両端部から軸方向の中央部に向かうに従い大きくなっている。言い換えると、従来の剥離パッド部８０では、押圧面８１における上流端部８１２から下流端部８１３までの距離は、軸方向の中央部において、軸方向の両端部と比較して大きくなっている。
【００４７】
比較例では、図６、図７（ａ）〜（ｂ）および図８（ａ）〜（ｂ）に示した形状を有する従来の剥離パッド部８０を用いた以外は実施例と同様にして、用紙に画像形成を行い、定着装置６０における用紙の剥離性の評価を行った。
【００４８】
（評価結果）
実施例および比較例のそれぞれの定着装置６０における用紙の剥離性の評価結果を、以下の表１に示す。
【００４９】
【表１】
2017138537.tif 000003
【００５０】
表１に示すように、比較例では、実施例と比較して、用紙の剥離性に劣ることが確認された。具体的には、比較例では、用紙における画像密度が高く、また用紙の含水率が高いほど、用紙の剥離性が低下することが確認された。
【００５１】
これは以下の理由によると考えられる。
すなわち、上述したように、従来の剥離パッド部８０では、押圧面８１における上流端部８１２から下流端部８１３までの距離が、軸方向の中央部において、軸方向の両端部と比較して大きくなっている。このため、従来の剥離パッド部８０を用いた定着装置６０では、剥離ニップ領域Ｎ２の搬送方向の長さが、軸方向の中央部において、軸方向の両端部と比較して長くなっている。
【００５２】
ここで、剥離ニップ領域Ｎ２において剥離パッド部８０と定着ロール６１との間に生じる押圧力が等しい場合、剥離ニップ領域Ｎ２にて定着ロール６１の表面に付与される単位面積当たりの圧力は、剥離ニップ領域Ｎ２の長さが長いほど小さくなる傾向がある。
これにより、従来の剥離パッド部８０を用いた定着装置６０では、軸方向の中央部において、軸方向の両端部と比較して、定着ロール６１に付与される圧力が小さく、定着ロール６１の表面に生じる歪みが小さくなりやすい。このため、従来の剥離パッド部８０を用いた定着装置６０では、軸方向の中央部において、用紙の剥離不良が生じやすい傾向がある。
【００５３】
したがって、従来の剥離パッド部８０を用いた比較例では、画像密度が高く、または含水率が高く、定着ロール６１の表面に付着しやすい用紙において、用紙の剥離不良が生じたものと考えられる。
【００５４】
これに対し、本実施の形態の剥離パッド部８０を用いた実施例では、用紙のサイズ、画像密度および含水率によらず、比較例と比べて、用紙の剥離性が良好であることが確認された。
これは、上述したように、本実施の形態の剥離パッド部８０では、軸方向と垂直な面で切断した押圧面８１の断面形状が軸方向の両端部と中央部とで等しいため、軸方向の両端部と中央部との双方で、定着ロール６１の表面に、用紙を剥離するために適した歪みが生じているためと推測される。
【符号の説明】
【００５５】
１…画像形成装置、６０…定着装置、６１…定着ロール、６２…加圧モジュール、７０…パッド部材、７１…プレニップ部、７２…保持部、８０…剥離パッド部、８１…押圧面、８２…上流側面、８３…下流側面、８１２…上流端部、８１３…下流端部、Ｎ…ニップ部、Ｎ１…プレニップ領域、Ｎ２…剥離ニップ領域
【図１】
2017138537.tif 000004
【図２】
2017138537.tif 000005
【図３】
2017138537.tif 000006
【図４】
2017138537.tif 000007
【図５】
2017138537.tif 000008
【図６】
2017138537.tif 000009
【図７】
2017138537.tif 000010
【図８】
2017138537.tif 000011